(57)【特許請求の範囲】
【請求項１】
外形が略平板状に形成されると共に、内部に供給された液体を外部に散水するシャワーヘッドの残水排水構造において、
前記シャワーヘッドの下面部を構成し、水平面に対して角度を有して配置される散水板と、
前記シャワーヘッドの側面部を構成する側壁と、
前記シャワーヘッドの上面部を構成する蓋体と、
前記散水板、側壁および蓋体により形成され、前記シャワーヘッドの内部に供給される液体を貯留する内部空間と、
前記散水板に穿設され、前記内部空間に貯留される液体を外部に散水する複数の散水孔と、
その複数の散水孔のうち、前記散水板の外縁部で且つ最下方に位置する最下方散水孔と、
前記散水板の内側面の上方から下方に亘って形成され、前記側壁の下方の内側面に連通すると共に、前記最下方散水孔に連通する排水溝とを備え、
その排水溝の少なくとも一部は、前記最下方散水孔よりも下方であって前記最下方散水孔が穿設されている前記散水板の外縁部から前記蓋体側に延びる前記側壁の内側面によって形成されていることを特徴とするシャワーヘッドの残水排水構造。
【請求項２】
外形が略平板状に形成されると共に、内部空間に供給された液体を外部に散水するシャワーヘッドの残水排水構造において、
前記シャワーヘッドの下面部を構成する散水板と、
前記シャワーヘッドの側面部を構成する側壁と、
前記シャワーヘッドの上面部を構成し、水平面に対して角度を有して設置される蓋体と、
前記散水板に穿設され、前記散水板、側壁および蓋体により形成される前記内部空間に供給される液体を外部に散水する複数の散水孔と、
その複数の散水孔のうち、前記散水板の外縁部で且つ最下方に位置する最下方散水孔と、
前記蓋体の内側面の上方から下方に亘って形成されると共に、前記蓋体の内側面の前記最下方散水孔に対向する部分を含んで形成され、前記側壁の下方の内側面に連通する排水溝とを備え、
その排水溝の少なくとも一部は、前記最下方散水孔よりも下方であって前記最下方散水孔が穿設されている前記散水板の外縁部から前記蓋体側に延びる前記側壁の内側面によって形成されていることを特徴とするシャワーヘッドの残水排水構造。
【請求項３】
前記散水板および蓋体は、略円盤状に形成され、
前記複数の散水孔は、前記散水板の外縁部に位置する散水孔が同心円上に穿設されており、
前記排水溝は、前記散水板の外縁部または蓋体の外縁部の全周に亘って形成されていることを特徴とする請求項１又は２に記載のシャワーヘッドの残水排水構造。
【請求項４】
前記排水溝は、前記散水板に形成され、
前記散水板の内側面から、前記側壁方向に下方傾斜した傾斜面を有していることを特徴とする請求項３記載のシャワーヘッドの残水排水構造。
【請求項５】
前記散水板と蓋体との間は、前記内部空間への液体の流出が停止されている状態で、前記散水板と蓋体との間の液体が表面張力により保持可能となる距離に構成されていることを特徴とする請求項１から４のいずれかに記載のシャワーヘッドの残水排水構造。
【請求項６】
外形が略平板状に形成されると共に、内部空間に供給された液体を外部に散水するシャワーヘッドを備えたシャワー装置において、
前記シャワーヘッドは、
前記シャワーヘッドの下面部を構成し、水平面に対して角度を有して配置される散水板と、
前記シャワーヘッドの側面部を構成する側壁と、
前記シャワーヘッドの上面部を構成する蓋体と、
前記散水板、側壁および蓋体により形成され、前記シャワーヘッドの内部に供給される液体を貯留する内部空間と、
前記散水板に穿設され、前記内部空間に貯留される液体を外部に散水する複数の散水孔と、
その複数の散水孔のうち、前記散水板の外縁部で且つ最下方に位置する最下方散水孔と、
前記散水板の内側面の上方から下方に亘って形成され、前記側壁の下方の内側面に連通すると共に、前記最下方散水孔に連通する排水溝とを備え、
その排水溝の少なくとも一部は、前記最下方散水孔よりも下方であって前記最下方散水孔が穿設されている前記散水板の外縁部から前記蓋体側に延びる前記側壁の内側面によって形成されていることを特徴とするシャワー装置。
【請求項７】
外形が略平板状に形成されると共に、内部空間に供給された液体を外部に散水するシャワーヘッドを備えたシャワー装置において、
前記シャワーヘッドは、
前記シャワーヘッドの下面部を構成する散水板と、
前記シャワーヘッドの側面部を構成する側壁と、
前記シャワーヘッドの上面部を構成し、水平面に対して角度を有して設置される蓋体と、
前記散水板に穿設され、前記散水板、側壁および蓋体により形成される前記内部空間に供給される液体を外部に散水する複数の散水孔と、
その複数の散水孔のうち、前記散水板の外縁部で且つ最下方に位置する最下方散水孔と、
前記蓋体の内側面の上方から下方に亘って形成されると共に、前記蓋体の内側面の前記最下方散水孔に対向する部分を含んで形成され、前記側壁の下方の内側面に連通する排水溝とを備え、
その排水溝の少なくとも一部は、前記最下方散水孔よりも下方であって前記最下方散水孔が穿設されている前記散水板の外縁部から前記蓋体側に延びる前記側壁の内側面によって形成されていることを特徴とするシャワー装置。
【発明の詳細な説明】
【技術分野】
【０００１】
本発明は、シャワーヘッドの残水排水構造およびシャワー装置に関し、特に、シャワーヘッド内部の残水を早く排水できると共に、冷水となった残水が使用者に注がれて使用者に不快感を与えることを低減することができるシャワーヘッドの残水排水構造およびシャワー装置に関するものである。
【背景技術】
【０００２】
特開平１１−３３３３２９号公報には、シャワー散水板に複数の噴射孔が穿設され、その複数の噴射孔からシャワー水を噴射するシャワーヘッドが開示されている。このシャワーヘッドのシャワー散水板は、略盆状に構成されており、その盆状の平面部に周方向に伸びる溝が複数形成され、その溝の底面に複数の噴射孔が周方向に並んで穿設されている。また、溝は、散水板の軸心側の側壁が傾斜して形成されており、その傾斜により水流を噴射孔に案内することで、シャワー水がシャワー散水板の径方向外向きに噴射されるように構成されている。
【特許文献１】特開平１１−３３３３２９号公報
【発明の開示】
【発明が解決しようとする課題】
【０００３】
まず、浴室の上部に設置され、使用者の頭上からシャワー水を散水するシャワーヘッド（一般的なオーバーヘッドシャワー）について説明する。浴室の上部に設置される一般的なシャワーヘッドは、シャワーヘッドの下面が浴室の床面（水平面）に対して傾斜した状態で設置されるので、使用者がシャワーの使用を中止すると、シャワーヘッド内部の下方に残水が溜まってしまい、次の使用者がシャワーの使用を開始すると、シャワーヘッド内部に溜まった残水が冷水となって使用者に注がれるという問題があった。
【０００４】
また、浴室の上部に設置される一般的なシャワーヘッドは、内部の水圧を高めるために薄板状に構成されているので、内部の水は表面張力により保持され易い。よって、使用者がシャワーの使用を中止した場合には、内部の水が下方に案内され難くなり、シャワーヘッドからの水滴の落下が長い間続き、その水滴の落下による不快音が継続するという問題もあった。
【０００５】
ここで、浴室の上部に設置されるシャワーヘッドに対して、特許文献１に記載される技術を適用すれば、シャワーヘッド内の残水が重力により下方へ流れる際に、散水板の周方向に伸びる複数の溝内に残水が進入し、その複数の溝内の残水は、溝を伝わって下方に案内され易くなるので、早く排水することができる。
【０００６】
しかしながら、特許文献１は、シャワー水を径方向外方に向けて噴射させるために溝を形成する思想なので、盆状の側面を形成する側壁と、盆状の平面部に形成される溝との間に距離を有しており、その側壁と溝との距離により形成される空間内に多くの残水が溜まってしまう。その結果、次の使用者がシャワーの使用を開始すると、シャワーヘッド内部の残水が冷水となって使用者に注がれるので、使用者に不快感を与えてしまうという問題点があった。
【０００７】
本発明は、上述した問題点を解決するためになされたものであり、シャワーヘッド内部の残水を早く排水できると共に、冷水となった残水が使用者に注がれて使用者に不快感を与えることを低減することができるシャワーヘッドの残水排水構造およびシャワー装置を提供することを目的としている。
【課題を解決するための手段】
【０００８】
この目的を達成するために請求項１記載のシャワーヘッドの残水排水構造は、外形が略平板状に形成されると共に、内部に供給された液体を外部に散水するシャワーヘッドの残水を排水するものであり、前記シャワーヘッドの下面部を構成し、水平面に対して角度を有して配置される散水板と、前記シャワーヘッドの側面部を構成する側壁と、前記シャワーヘッドの上面部を構成する蓋体と、前記散水板、側壁および蓋体により形成され、前記シャワーヘッドの内部に供給される液体を貯留する内部空間と、前記散水板に穿設され、前記内部空間に貯留される液体を外部に散水する複数の散水孔と、その複数の散水孔のうち、前記散水板の外縁部で且つ最下方に位置する最下方散水孔と、前記散水板の内側面の上方から下方に亘って形成され、前記側壁の下方の内側面に連通すると共に、前記最下方散水孔に連通する排水溝とを備え、その排水溝の少なくとも一部は、前記最下方散水孔よりも下方であって前記最下方散水孔が穿設されている前記散水板の外縁部から前記蓋体側に延びる前記側壁の内側面によって形成されている。
【０００９】
請求項２記載のシャワーヘッドの残水排水構造は、外形が略平板状に形成されると共に、内部空間に供給された液体を外部に散水するシャワーヘッドの残水を排水するものであり、前記シャワーヘッドの下面部を構成する散水板と、前記シャワーヘッドの側面部を構成する側壁と、前記シャワーヘッドの上面部を構成し、水平面に対して角度を有して設置される蓋体と、前記散水板に穿設され、前記散水板、側壁および蓋体により形成される前記内部空間に供給される液体を外部に散水する複数の散水孔と、その複数の散水孔のうち、前記散水板の外縁部で且つ最下方に位置する最下方散水孔と、前記蓋体の内側面の上方から下方に亘って形成されると共に、前記蓋体の内側面の前記最下方散水孔に対向する部分を含んで形成され、前記側壁の下方の内側面に連通する排水溝とを備え、その排水溝の少なくとも一部は、前記最下方散水孔よりも下方であって前記最下方散水孔が穿設されている前記散水板の外縁部から前記蓋体側に延びる前記側壁の内側面によって形成されている。
【００１０】
請求項３記載のシャワーヘッドの残水排水構造は、請求項１又は２に記載のシャワーヘッドの残水排水構造において、前記散水板および蓋体は、略円盤状に形成され、前記複数の散水孔は、前記散水板の外縁部に位置する散水孔が同心円上に穿設されており、前記排水溝は、前記散水板の外縁部または蓋体の外縁部の全周に亘って形成されている。
【００１１】
請求項４記載のシャワーヘッドの残水排水構造は、請求項３記載のシャワーヘッドの残水排水構造において、前記排水溝は、前記散水板に形成され、前記散水板の内側面から、前記側壁方向に下方傾斜した傾斜面を有している。
【００１２】
請求項５記載のシャワーヘッドの残水排水構造は、請求項１から４のいずれかに記載のシャワーヘッドの残水排水構造において、前記散水板と蓋体との間は、前記内部空間への液体の流出が停止されている状態で、前記散水板と蓋体との間の液体が表面張力により保持可能となる距離に構成されている。
【００１３】
請求項６記載のシャワー装置は、外形が略平板状に形成されると共に、内部空間に供給された液体を外部に散水するシャワーヘッドを備えており、前記シャワーヘッドは、前記シャワーヘッドの下面部を構成し、水平面に対して角度を有して配置される散水板と、前記シャワーヘッドの側面部を構成する側壁と、前記シャワーヘッドの上面部を構成する蓋体と、前記散水板、側壁および蓋体により形成され、前記シャワーヘッドの内部に供給される液体を貯留する内部空間と、前記散水板に穿設され、前記内部空間に貯留される液体を外部に散水する複数の散水孔と、その複数の散水孔のうち、前記散水板の外縁部で且つ最下方に位置する最下方散水孔と、前記散水板の内側面の上方から下方に亘って形成され、前記側壁の下方の内側面に連通すると共に、前記最下方散水孔に連通する排水溝とを備え、その排水溝の少なくとも一部は、前記最下方散水孔よりも下方であって前記最下方散水孔が穿設されている前記散水板の外縁部から前記蓋体側に延びる前記側壁の内側面によって形成されている。
【００１４】
請求項７記載のシャワー装置は、外形が略平板状に形成されると共に、内部空間に供給された液体を外部に散水するシャワーヘッドを備えており、前記シャワーヘッドは、前記シャワーヘッドの下面部を構成する散水板と、前記シャワーヘッドの側面部を構成する側壁と、前記シャワーヘッドの上面部を構成し、水平面に対して角度を有して設置される蓋体と、前記散水板に穿設され、前記散水板、側壁および蓋体により形成される前記内部空間に供給される液体を外部に散水する複数の散水孔と、その複数の散水孔のうち、前記散水板の外縁部で且つ最下方に位置する最下方散水孔と、前記蓋体の内側面の上方から下方に亘って形成されると共に、前記蓋体の内側面の前記最下方散水孔に対向する部分を含んで形成され、前記側壁の下方の内側面に連通する排水溝とを備え、その排水溝の少なくとも一部は、前記最下方散水孔よりも下方であって前記最下方散水孔が穿設されている前記散水板の外縁部から前記蓋体側に延びる前記側壁の内側面によって形成されている。
【発明の効果】
【００１５】
請求項１記載のシャワーヘッドの残水排水構造によれば、シャワーヘッドは、下面部が散水板、上面部が蓋体、側面部が側壁で構成され、その散水板、蓋体および側壁により内部に供給された液体を貯留する内部空間が形成される。その内部空間に貯留された液体を外部に散水する複数の散水孔が散水板に穿設されているので、シャワーヘッド内部に供給された液体は、内部空間を通り散水孔から外部に散水される。
【００１６】
また、散水板には、複数の散水孔のうち散水板の外縁部で且つ最下方に位置する最下方散水孔が穿設されており、散水板の内側面には、側壁の下方の内側面に連通すると共に最下方散水孔に連通する排水溝が上方から下方に亘って形成されている。ここで、散水板は水平面に対して角度を有して配置されているので、使用者がシャワーの使用を中止すると、内部空間内の残水は、重力によって散水板の角度に対して下方に流れる。内部空間内の残水が下方へ流れる際には、排水溝が形成される部分の水路の断面積が内部空間内の水路の断面積より大きくなるので、排水溝内の残水が下方へ流れ易くなる。そして、排水溝内に下方に流れる残水の流れができると、その排水溝の流れに周りの残水が巻き込まれるので、内部空間内の残水が上方から下方へ流れ易くなる。その結果、内部空間内の残水は、排水溝により最下方散水孔に案内され易くなり早く外部に排水されるので、シャワーヘッドからの水滴の落下が長い間続き、その水滴の落下による不快音が継続することを抑制することができるという効果がある。
【００１７】
また、最下方散水孔は、散水板の外縁部で且つ最下方に位置し、その最下方散水孔に連通する排水溝は、側壁の下方の内側面に連通して形成されているので、排水溝により下方に案内される残水の殆どは最下方散水孔から排水される。よって、シャワーヘッドの内部空間内の残水が少なくなるので、次の使用者がシャワーの使用を開始しても、使用者に注がれる冷水となった残水を少なくでき、使用者に与える不快感を低減することができるという効果がある。
【００１８】
請求項２記載のシャワーヘッドの残水排水構造によれば、シャワーヘッドは、下面部が散水板、上面部が蓋体、側面部が側壁で構成され、その散水板、蓋体および側壁により内部に供給された液体を貯留する内部空間が形成される。その内部空間に貯留された液体を外部に散水する複数の散水孔が散水板に穿設されているので、シャワーヘッド内部に供給された液体は、内部空間を通り散水孔から外部に散水される。
【００１９】
また、散水板には、複数の散水孔のうち散水板の外縁部で且つ最下方に位置する最下方散水孔が穿設され、蓋体の内側面には、側壁の下方の内側面に連通し、最下方散水孔に対向する部分を含んで上方から下方に亘って排水溝が形成されている。ここで、蓋体は水平面に対して角度を有して配置されているので、使用者がシャワーの使用を中止すると、内部空間内の残水は、重力によって蓋体の角度に対して下方に流れる。内部空間内の残水が下方へ流れる際に内部空間に残水が充満していれば、排水溝が形成される部分の水路の断面積が内部空間内の水路の断面積より大きくなるので、排水溝内の残水が上方から下方へ流れ易くなる。つまり、使用者がシャワーの使用を中止した場合の残水の下方に流れる初期動作が排水溝により形成される。そして、残水の下方に流れる初期動作が排水溝により形成されると、その排水溝の流れの周りの残水が巻き込まれるので、内部空間内の残水が上方から下方へ流れ易くなる。その結果、内部空間内の残水は、排水溝により最下方散水孔に案内され易くなり早く外部に排水されるので、シャワーヘッドからの水滴の落下が長い間続き、その水滴の落下による不快音が継続することを抑制することができるという効果がある。
【００２０】
また、最下方散水孔は、散水板の外縁部で且つ最下方に位置し、その最下方散水孔に対向する部分を含んで形成される排水溝は、側壁の下方の内側面に連通して形成されているので、排水溝により下方に案内される残水の殆どは最下方散水孔から排水される。よって、シャワーヘッドの内部空間内の残水が少なくなるので、次の使用者がシャワーの使用を開始しても、使用者に注がれる冷水となった残水を少なくでき、使用者に与える不快感を低減することができるという効果がある。
【００２１】
請求項３記載のシャワーヘッドの残水排水構造によれば、請求項１又は２に記載のシャワーヘッドの残水排水構造の奏する効果に加え、散水板および蓋体は、略円盤状に形成されており、複数の散水孔は、散水板の外縁部に位置する散水孔が同心円上に穿設され、排水溝は、散水板の外縁部または蓋体の外縁部の全周に亘って形成されている。よって、シャワーヘッドに散水板や蓋体を組み付ける作業やシャワーヘッドを浴室などに取り付ける作業において、シャワーヘッドの周方向における位置決めが不要になるので、作業効率を向上できるという効果がある。
【００２２】
請求項４記載のシャワーヘッドの残水排水構造によれば、請求項３記載のシャワーヘッドの残水排水構造の奏する効果に加え、排水溝は、散水板に形成され、散水板の内側面から、側壁方向に下方傾斜した傾斜面を有しているので、その傾斜面により排水溝内へ流れる残水の流れが形成され易くなる。よって、排水溝の周辺の残水は、排水溝内の流れに巻き込まれて更に下方へ案内され易くなるので、シャワー本体内部の残水をより早く排水することができるという効果がある。
【００２３】
請求項５記載のシャワーヘッドの残水排水構造によれば、請求項１から４のいずれかに記載のシャワーヘッドの残水排水構造の奏する効果に加え、散水板と蓋体との間には、内部空間への液体の流出が停止されている状態で液体が表面張力により保持される。よって、散水板と蓋体との間は短い距離になり、シャワーヘッドの外形も薄板状に形成されるので、美観が良くなりデザイン性の向上したシャワーヘッドを提供することができるという効果がある。
【００２４】
ここで、上記特許文献１のように、蓋体が略半球状に形成される一般的なシャワーヘッドでは、散水板と蓋体との間に液体は保持されないが、その分、外形の厚みが大きくなったり、デザイン性も向上することはできない。使用者は、シャワーヘッドの散水能力だけでなく、そのデザイン性に対しても購入意欲を増すものである。故に、本願では、デザイン性の向上のために、散水板と蓋体との間で表面張力により液体が保持されてしまう程の薄板状に形成している。
【００２５】
一方、本願のように、シャワーヘッドを薄板状に形成し、散水板と蓋体との間で表面張力により液体が保持されてしまうと、使用者がシャワーの使用を停止した場合、内部空間内の残水が下方へ流れ出しても、散水板と蓋体との間で液体が保持され易くなり、早期に残水を外部に排水できないと共に、内部空間内の残水が多く残ってしまう可能性がある。よって、シャワーヘッドを薄板状に形成した場合にも、シャワーヘッドからの水滴の落下が長い間続き、その水滴の落下による不快音が継続したり、次の使用者に対して冷水となった残水が多く注がれて使用者に不快感を与えてしまうという問題が生じる。そこで、本願は、排水溝を設け、内部空間内の残水を早く排出し且つ残水を少なくする構成を有している。つまり、シャワーヘッドを薄板状にした場合に、生じる問題点を解決するための排水溝が設けられているので、デザイン性を向上しつつ、内部空間内の残水を早く且つ少なくして排水することができる。
【００２６】
請求項６記載のシャワー装置によれば、シャワーヘッドを有しており、そのシャワーヘッドは、下面部が散水板、上面部が蓋体、側面部が側壁で構成され、その散水板、蓋体および側壁により内部に供給された液体を貯留する内部空間が形成される。その内部空間に貯留された液体を外部に散水する複数の散水孔が散水板に穿設されているので、シャワーヘッド内部に供給された液体は、内部空間を通り散水孔から外部に散水される。
【００２７】
また、散水板には、複数の散水孔のうち散水板の外縁部で且つ最下方に位置する最下方散水孔が穿設されており、散水板の内側面には、側壁の下方の内側面に連通すると共に最下方散水孔に連通する排水溝が上方から下方に亘って形成されている。ここで、散水板は水平面に対して角度を有して配置されているので、使用者がシャワーの使用を中止すると、内部空間内の残水は、重力によって散水板の角度に対して下方に流れる。内部空間内の残水が下方へ流れる際には、排水溝が形成される部分の水路の断面積が内部空間内の水路の断面積より大きくなるので、排水溝内の残水が下方へ流れ易くなる。そして、排水溝内に下方に流れる残水の流れができると、その排水溝の流れに周りの残水が巻き込まれるので、内部空間内の残水が上方から下方へ流れ易くなる。その結果、内部空間内の残水は、排水溝により最下方散水孔に案内され易くなり早く外部に排水されるので、シャワーヘッドからの水滴の落下が長い間続き、その水滴の落下による不快音が継続することを抑制することができるシャワーヘッドを備えたシャワー装置を提供することができるという効果がある。
【００２８】
また、最下方散水孔は、散水板の外縁部で且つ最下方に位置し、その最下方散水孔に連通する排水溝は、側壁の下方の内側面に連通して形成されているので、排水溝により下方に案内される残水の殆どは最下方散水孔から排水される。よって、シャワーヘッドの内部空間内の残水が少なくなるので、次の使用者がシャワーの使用を開始しても、使用者に注がれる冷水となった残水を少なくでき、使用者に与える不快感を低減することができるシャワーヘッドを備えたシャワー装置を提供することができるという効果がある。
【００２９】
請求項７記載のシャワー装置によれば、シャワーヘッドを有しており、そのシャワーヘッドは、下面部が散水板、上面部が蓋体、側面部が側壁で構成され、その散水板、蓋体および側壁により内部に供給された液体を貯留する内部空間が形成される。その内部空間に貯留された液体を外部に散水する複数の散水孔が散水板に穿設されているので、シャワーヘッド内部に供給された液体は、内部空間を通り散水孔から外部に散水される。
【００３０】
また、散水板には、複数の散水孔のうち散水板の外縁部で且つ最下方に位置する最下方散水孔が穿設され、蓋体の内側面には、側壁の下方の内側面に連通し、最下方散水孔に対向する部分を含んで上方から下方に亘って排水溝が形成されている。ここで、蓋体は水平面に対して角度を有して配置されているので、使用者がシャワーの使用を中止すると、内部空間内の残水は、重力によって蓋体の角度に対して下方に流れる。内部空間内の残水が下方へ流れる際に内部空間に残水が充満していれば、排水溝が形成される部分の水路の断面積が内部空間内の水路の断面積より大きくなるので、排水溝内の残水が上方から下方へ流れ易くなる。つまり、使用者がシャワーの使用を中止した場合の残水の下方に流れる初期動作が排水溝により形成される。そして、残水の下方に流れる初期動作が排水溝により形成されると、その排水溝の流れの周りの残水が巻き込まれるので、内部空間内の残水が上方から下方へ流れ易くなる。その結果、内部空間内の残水は、排水溝により最下方散水孔に案内され易くなり早く外部に排水されるので、シャワーヘッドからの水滴の落下が長い間続き、その水滴の落下による不快音が継続することを抑制することができるシャワーヘッドを備えたシャワー装置を提供することができるという効果がある。
【００３１】
また、最下方散水孔は、散水板の外縁部で且つ最下方に位置し、その最下方散水孔に対向する部分を含んで形成される排水溝は、側壁の下方の内側面に連通して形成されているので、排水溝により下方に案内される残水の殆どは最下方散水孔から排水される。よって、シャワーヘッドの内部空間内の残水が少なくなるので、次の使用者がシャワーの使用を開始しても、使用者に注がれる冷水となった残水を少なくでき、使用者に与える不快感を低減することができるシャワーヘッドを備えたシャワー装置を提供することができるという効果がある。
【発明を実施するための最良の形態】
【００３２】
以下、本発明の好ましい実施の形態について、添付図面を参照して説明する。本実施形態は、シャワー装置１０の最上部に取り付けられるオーバーヘッドシャワー吐水部１８において、内部に残る残水を早く排水すると共に残水の量を少なくすることができる残水排水構造に関するものである。
【００３３】
まず、図１を参照して、シャワー装置１０の概略について説明する。図１は、本発明の一実施形態のオーバーヘッドシャワー吐水部１８を備えるシャワー装置１０の正面図および各種操作部４４，４６，４８，５０の拡大図である。なお、図１において、矢印Ｘは、シャワー装置１０の上下方向を示し、矢印Ｙは、シャワー装置１０の左右（幅）方向を示している。
【００３４】
図１に示すように、シャワー装置１０は、浴室の壁面（図示せず）に設置される縦長の箱体状のケース１２により表面が覆われている。ケース１２は、上面、下面、側面および背面を覆うケース本体１４と、前面を覆う前面カバー１６とで構成されている。
【００３５】
なお、本実施形態のシャワー装置１０は、浴室の床面（水平面）から所定距離上方に配置され、ケース１２の下端から上端までの上下方向（図１矢印Ｘ方向）寸法が約１７００ｍｍに形成されている。よって、シャワー装置１０は、その上端が、床面からの高さが１７００ｍｍ以上となるので、浴室の天井近傍に位置する。
【００３６】
シャワー装置１０は、主に、前面カバー１６の上端部に設けられるオーバーヘッドシャワー（以下「ＯＨシャワー」と略す）吐水部１８と、前面カバー１６の中段部に設けられるボデーシャワー（以下「Ｂシャワー」と略す）吐水部２０と、ケース１２の下端に設けられる吐水管（カラン）２２と、ケース１２の側方（図１矢印Ｙ方向左側）に設けられるハンドシャワー（以下「Ｈシャワー」と略す）吐水部２４と、吐水量や水温などを調整する各種操作部４４，４６，４８，５０とを備えている。
【００３７】
ＯＨシャワー吐水部１８は、使用者に向けて頭上から下向きにシャワー水（なお、ミスト状ではない）を噴射するものであり、前面カバー１６から前方にほぼ水平に延び出したパイプ３０（図２参照）と、パイプ３０の先端部に取り付けられる略円盤状のシャワーヘッド３１とを備えている。また、ＯＨシャワー吐出部１８は、シャワーヘッド３１の下面が手前側から奥側に向かって下降傾斜して取り付けられている（即ち、シャワーヘッド３１の下面が水平面に対して角度を有して配置されている）。
【００３８】
Ｂシャワー吐水部２０は、シャワー装置１０の左右方向（図１矢印Ｙ方向）に複数列で且つ、シャワー装置１０の上下方向（図１矢印Ｘ方向）に複数箇所に設けられている。本実施形態では、左右方向に２列で且つ上下方向に５箇所ずつの合計１０個の吐水部が設けられている。具体的には、最上部にＢシャワー吐水部２０ａ１，２０ｂ１が設けられ、その下方に向かって順番に、Ｂシャワー吐水部２０ａ２，２０ｂ２，２０ａ３，２０ｂ３，２０ａ４，２０ｂ４，２０ａ５，２０ｂ５が設けられている。
【００３９】
また、Ｂシャワー吐水部２０は、使用者の頭部より低い位置でミスト状のシャワーを前方（図１手前側）に向かって噴射するものであり、Ｂシャワー吐水部２０ａ１，２０ｂ１は、使用者の胸部にミスト状のシャワーを噴射し、Ｂシャワー吐水部２０ａ２〜２０ａ４，２０ｂ２〜２０ｂ４は、使用者の腰部を中心にミスト状のシャワーを噴射し、Ｂシャワー吐水部２０ａ５，２０ｂ５は、使用者の足下にミスト状のシャワーを噴射するものである。
【００４０】
吐水管２２は、ケース１２の下端に水平方向に回転可能に取り付けられ、主に、使用者が洗い場に座った状態で使用するものである。また、先端には、吐水口３４が設けられ、その吐水口３４から吐水を１本の直流束で下向きに吐出する。
【００４１】
Ｈシャワー吐水部２４は、ケース１２の側面に垂直方向に回転可能な取り付けるエルボ状の継手４２にシャワーホース２６を介して連結されており、そのシャワーホース２６の先端に、グリップ３６と、ヘッド３８とが連結されている。
【００４２】
Ｈシャワー吐水部２４のヘッド３８の下面には、散水板が取り付けられ、その散水板に複数のシャワー孔４０が分散状に設けられており、そのシャワー孔４０からシャワー水が噴射される。なお、Ｈシャワー吐水部２４は、ケース１２の側面（図１矢印Ｙ方向左側面）に設けられたシャワーフック２８によって脱着可能に掛止される。
【００４３】
操作部４４は、ＯＨシャワー吐水部１８用の操作部であり、拡大図に示すように、操作部周りに設けられた表示部の差し位置を示す指示部５２が設けられている。操作部４４は、シャワー吐水状態、シャワー止水状態、及び、温度確認位置の３位置に切替操作可能に構成されると共に、回転角度に応じて流量を調整可能に構成されている。
【００４４】
操作部４６は、Ｂシャワー吐水部２４用の操作部であり、拡大図に示すように、操作部周りに設けられた表示部の差し位置を示す指示部５４が設けられている。操作部４６は、シャワー吐水状態、シャワー止水状態、及び、温度確認位置の３位置に切替操作可能に構成されると共に、回転角度に応じて流量を調整可能に構成されている。
【００４５】
操作部４８は、温水と冷水との混合水の温度調整用の操作部であり、拡大図に示すように、操作部周りに設けられた表示部の差し位置を示す指示部５６が設けられている。操作部５０は、吐水管２２とＨシャワー吐水部２４との吐水を切り替える操作部であり、拡大図に示すように、操作部周りに設けられた表示部の差し位置を示す指示部５８が設けられている。また、操作部５０は、回転角度に応じて流量を調整可能に構成されている。
【００４６】
次に、図２から図５を参照して、ＯＨシャワー吐水部１８について詳細に説明する。まず、図２を参照して、ＯＨシャワー吐水部１８の外観について説明する。図２は、ＯＨシャワー吐水部１８の外観を示した側面図である。なお、図２では、シャワーヘッド３１と、パイプ３０との接続部分のみ断面図で図示している。また、図２において、矢印Ｘは、シャワー装置１０の上下方向を示し、矢印Ｚは、シャワー装置１０の奥行き方向を示している。
【００４７】
図２に示すように、ＯＨシャワー吐水部１８のシャワーヘッド３１は、ケース１２の前面カバー１６（図１参照）から前方（図２矢印Ｚ方向左方）にほぼ水平に延出したパイプ３０に対して、３０度程度傾斜して連結されている。よって、シャワーヘッド３１の下面は、シャワー装置１０の前方側に向いており、その結果、使用者の全身にシャワーを散水することができる。
【００４８】
シャワーヘッド３１は、薄板の円盤状に形成されている。これは、薄板の円板状に形成することで、シャワーヘッド３１の内部に供給される水の水圧を高めると共に、径方向における水圧を略均等にするためである。即ち、シャワーヘッド３１の中心から供給される水の水圧を、中心からの距離に関わらず略均等にして、散水されるシャワーの勢いを略均等にするためである。
【００４９】
また、シャワーヘッド３１は、前面カバー１６（図１参照）から前方にほぼ水平に延出したパイプ３０に対して、ボールジョイント３３を介して連結されている。ボールジョイント３３は、シャワーヘッド３１の上下方向の傾斜角度および左右方向の傾斜角度を変更可能にするものである。本実施形態では、上下上方（図２矢印Ｘ方向）に１０度および左右方向（図１矢印Ｙ方向）に１０度の範囲で、傾斜角度を変更可能に構成されている。
【００５０】
ボールジョイント３３の外表面とシャワーヘッド３１側との当接面には、Ｏリング３４が配置されている。よって、シャワーヘッド３１の傾斜角度が変更されたとしても、ボールジョイント３３の外表面とシャワーヘッド３１との連結部分から水漏れが発生することを防止することができる。
【００５１】
次に、図３を参照して、ＯＨシャワー吐水部１８のシャワーヘッド３１を構成する各種部品について説明する。図３は、ＯＨシャワー吐水部１８のシャワーヘッド３１を構成する各種部品の分解斜視図である。
【００５２】
図３に示すように、ＯＨシャワー吐水部１８は、側面を覆う化粧リング６１と、下面を覆う化粧板６２と、その化粧板６２の上部に配置される下板６３と、下板６３の上部に配置される中間層６４と、その中間層６４の上部に配置される散水板６５と、側面および上面を形成する蓋体６６と、ボールジョイント３３（図２参照）が内挿されるジョイント６７と、そのジョイント６７と散水板６５との間に配置され内部空間Ｘ（図４参照）に水を流入（供給）する流入部材６８と、ジョイント６７に螺着されるナット６９と、下板６３と蓋体６６とを螺着するネジ７０とを主に備えている。
【００５３】
化粧リング６１は、シャワーヘッド３１の側面部の一部を形成するものであり、化粧板６２は、シャワーヘッド３１の下面部の一部を形成するものである。この化粧リング６１及び化粧板６２は、シャワーヘッド３１の外観を装飾するものであり、樹脂材やステンレス材などで構成される。また、化粧板６２には、複数の散水孔７１が穿設されている。
【００５４】
下板６３は、シャワーヘッド３１の下面部の一部を形成し、中間層６４及び散水板６５を位置決めすると共に中間層６４及び散水板６５を下方から支持するものであり、樹脂材などから構成されている。下板６３には、後述する中間層６４の下方突起部７７が嵌挿される複数の散水孔７３と、上方（図３上方向）に向かって突起しネジ７０が螺着されるネジ突起部７４と、上方（図３上方向）に向かって突起し略中心（軸心を通る位置）に設けられた中央突起部７５とが設けられている。この中央突起部７５は、中空状に形成されており、内部空間Ｘ内に空気を供給する供給路として作用する。
【００５５】
中間層６４は、シャワーヘッド３１の下面部の一部を形成し、散水される水の流路を形成するものであり、ゴム状などの弾性材で構成されている。中間層６４には、下板６３の散水孔７３に挿通され下方（図３下方向）に突起した複数の下方突起部７７と、その下方突起部７７に貫通形成され水の流路を形成する散水流路７８と、下板６３のネジ突起部７４が挿通される貫通孔７９と、下板６３の中央突起７５が挿通される貫通孔８０と、位置決め用の突起であり上方に突起した上方突起部８１とが設けられている。
【００５６】
散水板６５は、シャワーヘッド３１の下面部の一部を形成し、蓋体６６との間で水を貯留する内部空間Ｘの下面（底面）を形成するものであり、プラスチックなどの樹脂材で構成されている。散水板６５には、中間層６４の散水流路７８に連通する散水孔８３と、下板６３のネジ突起部７４が挿通される貫通孔８４と、中間層６４の上方突起部８１が挿通される貫通孔８５と、下板６３の中央突起部７５が挿通される中央挿通部８６とが設けられている。
【００５７】
蓋体６６は、シャワーヘッド３１の上面部および側面部の一部を形成するものであり、樹脂材などで構成されている。この蓋体６６は、下板６３と、中間層６４と、散水板６５と、ジョイント６７の一部と、流入部材６８とを内側に収納し、化粧リング６１の内側に螺着される。
【００５８】
また、蓋体６６は、散水板６５との間で水を貯留する内部空間Ｘの上面を形成する上壁９０（各請求項の蓋体）と、側面を形成する側壁９１（各請求項の側壁）とで構成されている。蓋体６６の上壁９０には、ネジ７０の軸部７０ａのみが挿通可能な貫通孔と、ネジ７０の頭部７０ｂが支持されるざくり部からなるネジ孔８８と、ジョイント６７の一部が挿通される貫通孔８９とが設けられている。
【００５９】
ジョイント６７は、パイプ３０側と連結される部分であると共に、パイプ３０から供給される水をシャワーヘッド３１の内部に供給する流路を形成するものであり、金属材で構成されている。ジョイント６７には、下方（図３下方向）に蓋体６６の内側面と当接しジョイント６７の抜けを防止する皿部９１と、ボールジョイント３３が内挿される筒部９２とで構成されている。
【００６０】
流入部材６８は、ジョイント６７から供給される水を、散水板６５と蓋体６６との間に形成される内部空間Ｘに流入するものであり、プラスチックなどの樹脂材で構成されている。流入部材６８は、下面（図３下側の面）が開放された筒状に形成されており、上面（図３上側の面）に複数の貫通孔９４が形成され、上面の中央から下方に突出した突出部９５が形成されている。
【００６１】
以上のように構成された各種部品を組み付けてシャワーヘッド３１を製作する場合には、下板６３のネジ突起部７４及び中央突起部７５に、中間層６４の貫通孔７９，８０をそれぞれ挿通させると共に、下板６３の散水孔７３に中間層６４の下方突起部７７を嵌挿して、下板６３に対して中間層６４を位置決めしつつ固定する。
【００６２】
次に、中間層６４の上方突起部８１を散水板６５の貫通孔８５に挿通させると共に、下板６３の中央突起７５を散水板６５の中央挿通部８６に挿通させて、下板６３及び中間層６４に対して散水板６５を位置決めしつつ固定する。
【００６３】
そして、流入部材６８の突出部９５を、散水板６５の中央挿通部８６（下板６３の中央突起部７５）内に緩挿し、ジョイント６７をナット６９により固定した状態の蓋体６６を被せ、ネジ７０により蓋体６６と下板６３とを螺着する。
【００６４】
その後、化粧リング６１内に化粧板６２をセットし、下板６３、中間層６４、散水板６５、蓋体６６、ジョイント６７、流入部材６８が一体に組み付けられた部材を、化粧リング６１内にねじ込み、シャワーヘッド３１が完成する。
【００６５】
なお、ＯＨシャワー吐水部１８内を流動する水は、図３の矢印Ａで示すように、パイプ３０（図２参照）の内部、ボールジョイント３３（図２参照）の内部、ジョイント６７の内部、流入部材６８の貫通孔９４、散水板６５と蓋体６６との間に形成される内部空間Ｘ、散水板６５の散水孔８３、中間層６４の散水流路７８（下板６３の散水孔７３を通過）、化粧板６２の散水孔７１を通り、外部へ散水されることになる。
【００６６】
また、流入部材６８の貫通孔９４を通過する水は、下板６３の中央突起部７５の内路を通って供給される空気を引き込みつつ、散水板６５の上面に勢いよく流出されるので、散水板６５の中央挿通部８６近傍で泡立ち微少な気泡が生成され、その微少な気泡を含む水が外部に散水される。即ち、使用者に対して、浴び心地の良い水を生成することができる。
【００６７】
また、中間層６４をゴム状の弾性材で構成することにより、製品の歩留まりを向上することができる。これは、中間層６４を硬い部材で構成した場合には、下方突起部７７及び上方突起部７９の配置位置の精密な精度が必要となり、その分、製品不良が発生し易いのに対し、中間層６４をゴム状の弾性材で構成することにより、極端に精密な精度を必要としないからである。
【００６８】
次に、図４及び図５を参照して、散水板６５について詳細に説明する。図４は、散水板６５及び蓋体６６の一部の断面を示した断面図であり、図４（ａ）は、図３のＩＶａ−ＩＶａ線における散水板６５及び蓋体６６の断面図であり、図４（ｂ）は、図３のＩＶｂ−ＩＶｂ線における散水板６５及び蓋体６６の断面図である。
【００６９】
また、図５は、散水板６５の上面図であり、水の流れを模式的に示した図である。なお、図５の下側は、シャワー装置１０にＯＨシャワー吐水部１８が取り付けられた状態で下方に位置し、図５の上側は、シャワー装置１０にＯＨシャワー吐水部１８が取り付けられた状態で上方に位置するものとする。よって、図５の最も下側に位置する散水孔８３が最下方散水孔となる。
【００７０】
図４（ａ）に示すように、散水板６５は、中央挿通部８６近傍の板厚が一番薄く、軸心から径方向外側（図４（ａ）右方向）に向かうほど厚みが厚くなる階段状に形成されている。本実施形態では、５段階の階段状に構成されており、１段目（最下段）の径方向の幅ｔ１が短く（約５ｍｍ）、２段目から４段目（中段）までの径方向の幅ｔ２からｔ４は略同等で且つ１段目の幅ｔ１より長く（約１３ｍｍ）、５段目（最上段）の径方向の幅ｔ５が最も長く幅ｔ２の略２倍（約２６ｍｍ）に構成されている。
【００７１】
また、蓋体６６の上壁９０の下面であり、散水板６５に対向する面は平面に構成されているので、散水板６５と蓋体６６の上壁９０の下面との間の高さｈ１からｈ５は、１段目から５段目に向かうほど低くなるように構成されている。
【００７２】
ここで、散水板６５が平面（階段状でない）に形成されていると、中央挿通部８６近傍の水圧は、流入部材６８から勢い良く水が流入されるので高くなる一方、散水板６５の外周部（外縁部）近傍では、水の勢いが弱くなり水圧が低くなってしまう。その結果、シャワーヘッド３１から散水される水は、中央部分の勢いが強く、径方向外側に向かうほど勢いが弱くなってしまい、使用者の浴び心地が低下してしまう。
【００７３】
そこで、本実施形態では、散水板６５と蓋体６６の上壁９０の下面との間の高さを、径方向外側に向かうほど段階的に低くし、水が通過する断面積を小さくすることで、散水板６５と蓋体６６との間に形成される内部空間Ｘ内の水圧を略均等にしている。その結果、シャワーヘッド３１から散水される水の勢いが略均等になるので、使用者の浴び心地が低下することを抑制することができる。
【００７４】
なお、本実施形態では、高さｈ５が０．５ｍｍから３ｍｍの間になるように構成されている。高さｈ５を０．５ｍｍから３ｍｍの間に構成すると、流入部材６８から水が流入されていない状態で、５段目の上面と蓋体６６の上壁９０との間の水が表面張力により保持される。また、５段目の上面と蓋体６６の上壁９０との間の水を保持する表面張力は、その５段目の上面と蓋体６６の上壁９０との間で保持されている水が、排水溝１０１を流れる水の流れに巻き込まれつつ下方へ流れ出す場合に生じる力より小さくなるように構成されている。
【００７５】
また、図４（ａ）に示すように、散水板６５の５段目より更に径方向外側となる外周部（外縁部、図４（ｂ）に示す範囲ｗ１）には、排水溝１０１が形成されている。この排水溝１０１は、散水板６５の５段目の平面から蓋体６６の側壁９１方向に下降傾斜した傾斜面１０２と、その傾斜面１０２に連続し径方向外側に伸びる底面１０３と、蓋体６６の側壁９１の内側面１０４とにより囲まれて形成されている。
【００７６】
なお、排水溝１０１の傾斜面１０２及び底面１０３は、図５に示すように、散水板６５の全外周に形成されているので、蓋体６６の側壁９１の全ての内側面１０４により排水溝１０１が形成される。即ち、排水溝１０１は、蓋体６６の側壁９１の内側面１０４に連通していることになる。
【００７７】
図４（ｂ）に示すように、散水孔８３は、１段目と２段目の間、２段目と３段目の間、３段目と４段目の間、４段目と５段目の間、５段目の径方向の中心、排水溝１０１にそれぞれ穿設されている。即ち、散水孔８３は、軸心から径方向に略等間隔に穿設されると共に、各段に設けられた複数の散水孔８３は、同心円上に位置することになる（図５参照）。なお、本実施形態では、排水溝１０１の傾斜面１０２を含んで穿設させる散水孔８３の軸心側の縁から散水板６５の外縁までの範囲ｗ１を、散水板６５の外周部（外縁部）とする。
【００７８】
ＯＨシャワー吐水部１８は、上述したように、浴室の床面（水平面）に対して傾斜して配置されるので、散水板６５及び蓋体６６も同様に傾斜した状態で配置される。使用者がシャワーの使用を中止すると、散水板６５と蓋体６６との間に形成される内部空間Ｘ内の水は、複数の散水孔８３を通り外部に散水される。
【００７９】
ここで、図５を参照して、散水板６５と蓋体６６との間に形成される内部空間Ｘ（図４参照）内の残水が少なくなった場合の水の流れについて説明する。
【００８０】
図５に示すように、散水板６５と蓋体６６との間に形成される内部空間Ｘ内の残水が少なくなると、１段目より径方向内側の残水は、矢印Ｂ１で示すように、１段目と２段目との段差により下方へ案内されつつ、散水孔８３から外部に排水される。２段目から４段目までの残水は、１段目と同様に、矢印Ｂ２からＢ４で示すように、各段の段差により下方へ案内されつつ、散水孔８３から外部に排水される。
【００８１】
一方、１段目から４段目までの散水孔８３により排水されずに溢れた残水は、５段目の上面を通り下方の排水溝１０１に案内される。上述したように、排水溝１０１は、蓋体６６の側壁９１方向に下降傾斜した傾斜面１０２を有しているので、５段目の上面から排水溝１０１方向へ流れる水の流れが形成される。よって、５段目の上面を通る水は、矢印Ｃで示すように、排水溝１０１内を流れる水の流れに巻き込まれつつ排水溝１０１内に流れる。従って、１段目から４段目までの散水孔８３により排水されずに５段目の上面を流れる残水は、排水溝１０１に案内され易くなる。
【００８２】
なお、上述したように、５段目の上面と蓋体６６の上壁９０の下面との間の水は、表面張力により保持されているので、その５段目の上面に保持されている残水が排水溝１０１内に流れ込む流れが形成されると、５段目の上面に保持されている残水全体が排水溝１０１方向へ移動し易くなる。よって、散水板６５の上面の残水をより早く排水溝１０１に案内することができるように構成されている。
【００８３】
排水溝１０１に案内された残水は、矢印Ｂ５で示すように、散水板６５の外周部（図４（ｂ）に示す範囲ｗ１の間）を通り、散水板６５の外周部に穿設された散水孔８３から排出されつつ、最下方に位置する散水孔８３に案内されて外部に排水される。ここで、排水溝１０１の水路の断面積は、散水板６５の上面を流れる水の水路の断面積に比べて大きくなるので、矢印Ｂ５で示す水の流れは、散水板６５の上面を流れる水の流れより速くなる。その結果、散水板６５の上面を流れる水は、排水溝１０１の流れに巻き込まれ易くなり、全体の流れとして最下方に位置する散水孔８３に案内され易くなるので、より早く残水を排水することができる。
【００８４】
以上、説明したように、本実施形態のシャワーヘッド３１は、散水板６５の外周部に排水溝１０１が形成され、その排水溝１０１は最下方に位置する散水孔８３に連通している。そして、散水板６５の上面の水は、排水溝１０１内に流れ込み易く且つ、散水溝１０１の流れに巻き込まれるようにして下方に流れるので、使用者がシャワーの使用を中止して内部の残水が少なくなった場合には、その内部の残水が排水溝１０１により最も下方に位置する散水孔８３に案内され、残水を早く外部に排水することができる。
【００８５】
また、排水溝１０１は、散水板６５に形成される傾斜面１０２及び底面１０３と、蓋体６６の内側面１０４とにより形成されているので、散水孔８３と側面１０４との間の距離を極端に短くすることができる。その結果、シャワーヘッド３１の内部の残水のほぼ全てを外部に排水することができるので、使用者がシャワーの使用を開始した場合に、冷水となった残水が使用者に注がれることを抑制でき、使用者に与える不快感を低減することができる。
【００８６】
なお、散水孔８３には、水の表面張力などにより若干の水が残ると共に、最下方の散水孔８３より下方となる排水溝１０１にも若干の水が残るが、その残水は、シャワーヘッド３１の全内部空間Ｘに対して１０％以下になる。そのため、使用者がシャワーの使用を開始した場合に散水される冷水は少ないので、使用者に不快感を与えることを抑制できる。
【００８７】
また、排水溝１０１は、散水板６５の全外周部に形成されているので、シャワーヘッド３０に対する散水板６５の周方向における組付位置、更には、シャワーヘッド３１のシャワー装置１０への周方向における取付位置を位置決めする必要がなくなり、組付作業および取付作業の作業性を向上することができる。
【００８８】
次に、図６を参照して、第２実施形態について説明する。図６は、第２実施形態の散水板６５の上面図である。なお、図６の下側は、シャワー装置１０にＯＨシャワー吐水部１８が取り付けられた状態で下方に位置し、図６の上側は、シャワー装置１０にＯＨシャワー吐水部１８が取り付けられた状態で上方に位置するものとする。なお、第１実施形態と同一の部分には、同一の符号を付し、その詳細な説明は省略する。
【００８９】
第２実施形態の散水板６５は、第１実施形態の散水板６５に形成される排水溝１０１に加えて、略直線状の排水溝２０１が形成されており、より効率良く残水を排水可能に構成したものである。
【００９０】
図６に示すように、第２実施形態では、シャワー装置１０にＯＨシャワー吐水部１８が取り付けられた状態において、軸心を通る直線上の上方から下方に亘って排水溝２０１が形成されている。また、排水溝２０１は、散水板６５の最下方に位置する排水孔８３に連通されている。
【００９１】
よって、第２実施形態では、使用者がシャワーの使用を中止した場合には、中心部を通る排水溝２０１に水の流れができ、散水板６５の上面の排水溝２０１近傍の水は、図６の矢印Ｄで示すように、排水溝２０１の水の流れに巻き込まれつつ排水溝２０１内に流れ込む流れが形成されるので、最下方に位置する散水孔８３に案内され易くなり、残水をより早く外部に排水することができる。
【００９２】
なお、第２実施形態の排水溝２０１の両側の側面を内側に下降傾斜して構成しても良く、この構成にすれば、中心部の水は、排水溝２０１内に流れ込み易くなるので、より早く残水を排水することができる。
【００９３】
次に、図７を参照して、第３及び第４実施形態について説明する。図７（ａ）は、第３実施形態の散水板６５及び蓋体６６の一部の断面を示した断面図であり、図７（ｂ）は、第４実施形態の散水板６５及び蓋体６６の一部の断面を示した断面図である。なお、第１実施形態と同一の部分には、同一の符号を付し、その詳細な説明は省略する。
【００９４】
まず、第３実施形態のシャワーヘッド３１について説明する。第１実施形態のシャワーヘッド３１は、散水板６５の外周部に排水溝１０１を形成するものとしたが、第３実施形態のシャワーヘッド３１は、散水板６５の外周部に排水溝１０１を形成すると共に、蓋体６６の上壁９０の外周部にも排水溝３０１を形成し、より効率良く残水を排水可能に構成したものである。
【００９５】
図７（ａ）に示すように、第３実施形態では、第１実施形態と同様に、排水溝１０１が外周部に形成された散水板６５と、排水溝３０１が蓋体６６の上壁９０の外周部に形成された蓋体６６とで構成されている。なお、本実施形態では、蓋体６６の上壁９０の外周部は、範囲ｗ２であり、この範囲ｗ２は、散水板６５の最も外周に位置する散水孔８３と対向する部分を含んで構成され、範囲ｗ１と同等に構成されている。
【００９６】
この蓋体６６の上壁９０に形成される排水溝３０１は、図示しないが、蓋体６６の上壁９０の全外周に形成されている。また、排水溝３０１は、散水板６５に形成される排水溝１０１と対向する部分に形成されているので、最下方に位置する散水孔８３と対向する部分を含んで形成されることになる。
【００９７】
第３実施形態によれば、使用者がシャワーの使用を中止し、シャワーヘッド３１内部の内部空間Ｘに残水が充満していると、蓋体６６に形成される排水溝３０１により残水が上方から下方へ流れ易くなる。つまり、使用者がシャワーの使用を中止した場合の残水の流れの初期動作を、蓋体６６に形成される排水溝３０１により上方から下方に案内され易くすることができる。そして、散水板６５に形成される排水溝１０１によって、第１実施形態と同様に、散水板６５の上面の水を排水溝１０１内に流れ込み易く且つ、散水溝１０１の流れに巻き込まれるようにして下方に流せるので、使用者がシャワーの使用を中止した場合の初期動作から内部の残水が少なくなるまでの残水の排水を、効率良く早期に行うことができる。
【００９８】
次に、第４実施形態のシャワーヘッド３１について説明する。第１実施形態のシャワーヘッド３１は、散水板６５の外周部に排水溝１０１を形成するものとしたが、第４実施形態のシャワーヘッド３１は、散水板６５の外周部に排水溝１０１を形成せずに、蓋体６６の上壁９０の外周部にのみ排水溝３０１を形成し、残水の排水の初期動作を上方から下方に流れ易く構成したものである。
【００９９】
図７（ｂ）に示すように、第４実施形態では、散水板６５の５段目は平面に形成され、散水板６５の外周部に排水溝１０１は形成されておらず、蓋体６６の上壁９０の外周部にのみ、第３実施形態と同様の排水溝３０１が形成されている。
【０１００】
第４実施形態によれば、使用者がシャワーの使用を中止し、シャワーヘッド３１内部の内部空間Ｘに残水が充満している場合の残水の流れの初期動作を、蓋体６６に形成される排水溝３０１により上方から下方に案内し易くできる。よって、散水板６５に排水溝１０１を形成する構成に比べると、残水を早期に排水することはできないが、内部空間Ｘ内の残水が下方へ流れる初期動作を作ることができるので、その分、残水を早く外部に排水することはできる。
【０１０１】
以上、実施形態に基づき本発明を説明したが、本発明は上述した実施の形態になんら限定されるものではなく、本発明の趣旨を逸脱しない範囲内で種々の改良変更が可能であることは容易に推察できるものである。
【０１０２】
例えば、上記第２実施形態では、散水板６５に排水溝１０１と排水溝２０１とを形成するものとしたが、排水溝２０１のみを形成するものとしても良い。さらに、排水溝１０１や、排水溝１０２、最下方に位置する散水孔８３に連通するようなＶ字状の排水溝、散水板６５の外周部の下方のみ形成される半円状（又は円弧状）の排水溝、上下方向に亘って形成される複数の排水溝などの１つ又は複数を組み合わて構成するものとしても良い。即ち、最下方に位置する散水孔８３に連通する排水溝を有していれば、その形状や数は、如何なるものであっても良い。さらに、第３及び第４実施形態の散水板６５及び蓋体６６の上壁９０の一方または両方に、排水溝２０１を形成しても良い。
【０１０３】
また、上記各実施形態では、シャワーヘッド３１を略円板状に構成するものとしたが、薄板の楕円形、四角形、三角形など、その形状は如何なるものであっても良い。
【０１０４】
また、上記各実施形態では、排水溝１０１に傾斜面１０２が形成されるものとしたが、その傾斜面１０２を形成せずに、散水板６５の上面から底面１０３に対して略垂直となる側面により排水溝１０１を形成しても良い。この構成であっても、排水溝１０１により上方から下方へ流れる水の流れができ、その水の流れにより残水が巻き込まれるように下方へ案内されるので、早く残水を外部に排水することができる。
【０１０５】
また、上記各実施形態では、蓋体６６が、シャワーヘッド３１の内部空間Ｘの側面および上面を形成するように構成したが、蓋体６６を平板状に構成し散水板６５により内部空間Ｘの底面および側面を形成するように構成しても良いし、蓋体６６及び散水板６５を平板状に形成し、別体として外周の側面を覆う側壁を設けるように構成しても良い。
【図面の簡単な説明】
【０１０６】
【図１】本発明の一実施形態のオーバーヘッドシャワー吐水部を備えるシャワー装置の正面図および各種操作部の拡大図である。
【図２】オーバーヘッドシャワー吐水部の外観を示した側面図である。
【図３】ＯＨシャワー吐水部のシャワーヘッドを構成する各種部品の分解斜視図である。
【図４】散水板及び蓋体の一部の断面を示した断面図であり、（ａ）は、図３のＩＶａ−ＩＶａ線における散水板及び蓋体の断面図であり、（ｂ）は、図３のＩＶｂ−ＩＶｂ線における散水板及び蓋体の断面図である。
【図５】散水板の上面図であり、水の流れを模式的に示した図である。
【図６】第２実施形態の散水板の上面図である。
【図７】（ａ）は、第３実施形態の散水板及び蓋体の一部の断面を示した断面図であり、（ｂ）は、第４実施形態の散水板及び蓋体の一部の断面を示した断面図である。
【符号の説明】
【０１０７】
１０                    シャワー装置
３１                    シャワーヘッド
６１                    化粧リング（シャワーヘッドの一部、側面部の一部）
６２                    化粧板（シャワーヘッドの一部、下面部の一部）
６３                    下板（シャワーヘッドの一部、下面部の一部）
６４                    中間層（シャワーヘッドの一部、下面部の一部）
６５                    散水板（シャワーヘッドの一部、下面部の一部）
６６                    蓋体（シャワーヘッドの一部、側壁）
６７                    ジョイント（シャワーヘッドの一部）
６８                    流入部材（シャワーヘッドの一部）
６９                    ナット（シャワーヘッドの一部）
７０                    ネジ（シャワーヘッドの一部）
８３                    散水孔（最下方散水孔を含む）
９０                    上壁（蓋体の一部、上面部の一部、蓋体）
９１                    側壁（蓋体の一部、側面部の一部、側壁）
１０１                  排水溝
１０２                  傾斜面
２０１                  排水溝
Ａ、Ｂ１〜Ｂ５、Ｃ、Ｄ  水の流れ
Ｘ                      内部空間
ｗ１                    散水板の外周部（外縁部）
ｗ２                    蓋体の上壁の外周部（蓋体の外周部）
【図１】
0005467732.tif 000002
【図２】
0005467732.tif 000003
【図３】
0005467732.tif 000004
【図４】
0005467732.tif 000005
【図５】
0005467732.tif 000006
【図６】
0005467732.tif 000007
【図７】
0005467732.tif 000008